(57)【要約】【課題】  構成部材の強度を確保するとともに、コネクタの小型軽量化を可能としたコネクタを提供する。【解決手段】  平面上に平行に並んだ状態の複数本の同軸ケーブル２０の端部に取り付けられるコネクタでＰＣあって、ケーブル保持部材２及びコンタクト保持部材６と、両保持部材２，６の上下両面を覆って取り付けられたシールドカバー３及びグランド板７とを有し、同軸ケーブル２０の接地接続部２３ａがシールドカバー３及びグランド板７の少なくとも一方に接続されるように構成している。そして、接地接続部２３ａを複数本ずつ並べて受容する複数の凹溝７ｄがグランド板７に形成され、複数の凹溝７ｄ内にそれぞれ突入して係合する複数の係合突起部３ａがシールドカバー３に形成されており、凹溝７ｄ内にそれぞれ複数本の接地接続部２３ａを並べて受容させた状態で係合突起部３ａを凹溝７ｄ内に突入係合させて凹溝７ｄ内に複数の接地接続部２３ａを保持するように構成している。【選択図】図１
2005222749.tif 000002
【特許請求の範囲】
【請求項１】
平面上に平行に並んだ状態の複数本の同軸ケーブルの端部に取り付けられるコネクタであって、
前記同軸ケーブルがそれぞれ、中央軸上に位置する芯線の周囲を第１絶縁被覆、シールド線および第２絶縁被覆により取り囲んで形成され、
絶縁材料製の保持部材と、前記保持部材に取り付けられたコンタクトと、前記保持部材の上下両面を覆って取り付けられた金属材料製の第１及び第２カバーとからなり、前記同軸ケーブルの前記芯線が前記コンタクトに接続されるとともに前記シールド線が前記第１及び第２カバーの少なくとも一方に接続されるように構成され、
前記第２絶縁被覆が剥がされて前記シールド線が露出した状態の前記同軸ケーブル接地接続部をそれぞれ複数本ずつ並べて受容する複数の凹溝が前記第１カバーに形成され、前記複数の凹溝内にそれぞれ突入して係合する複数の係合突起部が前記第２カバーに形成されており、
前記凹溝内にそれぞれ複数本の前記同軸ケーブル接地接続部を並べて受容させた状態で前記係合突起部を前記凹溝内に突入係合させて前記凹溝内に前記複数の同軸ケーブル接地接続部を保持するように構成されたことを特徴とする同軸ケーブル用コネクタ。
【請求項２】
前記第１カバーが前記保持部材と結合されて設けられ、前記第２カバーが前記保持部材に相対滑動可能に取り付けており、
前記第１カバーの複数の前記凹溝内にそれぞれ複数本の前記同軸ケーブル接地接続部を並べて受容させた状態で、前記第２カバーを前記保持部材に対して滑動させて複数の前記係合突起部を複数の前記凹溝のそれぞれに突入係合させるように構成されていることを特徴とする請求項１に記載の同軸ケーブル用コネクタ。
【請求項３】
前記凹溝の底部は、前記凹溝に受容される複数本の前記同軸ケーブル接地接続部を並べた状態での外形下部に合わせた波形状に形成されていることを特徴とする請求項１もしくは２に記載の同軸ケーブル用コネクタ。
【請求項４】
前記凹溝の内部の幅は、前記凹溝に受容される複数本の前記同軸ケーブル接地接続部を並べた状態での配設ピッチ方向の長さにほぼ等しく形成され、
前記凹溝の入口部の幅は、前記内部の幅よりも狭く形成されており、
前記凹溝内部に突入係合した前記係合突起部が前記入口部より幅が広くて前記入口部を通って外方に出ないように構成されていることを特徴とする請求項１〜３のいずれかに記載の同軸ケーブル用コネクタ。
【発明の詳細な説明】
【技術分野】
【０００１】
本発明は、同軸ケーブルの端部に繋がれるコネクタの構造に関する。さらに詳しくは、フラットケーブル等、整列配設された複数の同軸ケーブルの端部に取り付けられるコネクタの構造に関する。
【背景技術】
【０００２】
上記同軸ケーブルは、一般的に、一般の電線中に２つの導電路たる芯線とシールド線（シールド層とも称する）とを配設させて構成されており、具体的には、中心軸線上に芯線を配列し、軸線から半径方向順番に芯線と同一円上の内側絶縁被覆、横巻きのシールド線、外側絶縁被覆を配列して形成されている。フラットケーブルは、この同軸ケーブルを同一平面に平行に並べた状態としてホールディングテープ等により接着保持することにより形成される。このフラットケーブルを接続するために使用されるコネクタにおいては、フラットケーブルを形成する各同軸ケーブルの芯線がコンタクトに接続され、シールド線がグランド部材（例えば、実施形態におけるシールドカバー３、グランド板７）に接続される。
【０００３】
このとき、圧着接続によって各シールド線をグランド部材に接続するコネクタがある（例えば、特許文献１、特許文献２）。この圧着接続とは、一対の突出した導電性を有する金属片でケーブルを挟み込んでかしめることにより、金属片に電気的に接続するとともにシールド線が露出した部分で同軸ケーブルを固定する方法である。
【０００４】
特許文献１、特許文献２に開示されたコネクタにおいては、金属材料製のシールド板に同軸ケーブルの配設ピッチに対応して櫛歯状に形成されたグランド接触用の端子受容部が複数本突出形成されており、この櫛歯状受容部間に同軸ケーブルを受容するための凹状の圧接溝が形成されている。この凹溝内に同軸ケーブルを係合させることにより各同軸ケーブルが固定されるとともに、凹溝の内郭と同軸ケーブルのシールド線とが接続されて各シールド線による静電遮蔽が行われるようになっている。
【０００５】
【特許文献１】特開２００３−３３１９４１号公報
【特許文献２】特開２００３−３３１９９３号公報
【発明の開示】
【発明が解決しようとする課題】
【０００６】
ところで、近年、携帯電話あるいはノートパソコン等の電子機器に見られる急速な高機能化、軽薄短小化に伴い、これら電子機器に実装されるコネクタの多極化、狭ピッチ化、小型軽量化に対する要請が高まっている。しかしながら、特許文献１，２に開示されたコネクタによれば、１つの凹溝に対して１本の同軸ケーブルを受容するようにシールド板に櫛歯状受容部および凹溝が形成されており、コネクタの極数を増加することにより櫛歯状受容部の本数が増加してコネクタの外形サイズがピッチ方向に大型化する傾向にあるため、コネクタの多極化、小型軽量化に対する要請に満足に応えられないという問題が生じていた。
【０００７】
また、例えば各櫛歯状受容部をピッチ方向に対してより幅狭に形成することにより、コネクタの外形サイズの狭小化を図るといった方法も考えられるが、このような構成によれば、同軸ケーブルと凹溝とを嵌脱する際に加わる押圧力やこじり等に抗する強度を保つことが困難であることから櫛歯状受容部が変形あるいは破損するおそれがあり、信頼性に足る製品を提供できないという問題がある。
【０００８】
上記問題に鑑みて本発明は、構成部材の強度を確保するとともに、コネクタの小型軽量化を可能としたコネクタを提供することを目的とする。
【課題を解決するための手段】
【０００９】
上記目的達成のため本発明は、平面上に平行に並んだ状態の複数本の同軸ケーブルの端部に取り付けられるコネクタであって、同軸ケーブルがそれぞれ、中央軸上に位置する芯線の周囲を第１絶縁被覆、シールド線および第２絶縁被覆により取り囲んで形成され、絶縁材料製の保持部材と、保持部材に取り付けられたコンタクトと、保持部材の上下両面を覆って取り付けられた金属材料製の第１及び第２カバーとからなり、同軸ケーブルの芯線がコンタクトに接続されるとともにシールド線が第１及び第２カバーの少なくとも一方に接続されるように構成している。そして、第２絶縁被覆が剥がされてシールド線が露出した状態の同軸ケーブル接地接続部をそれぞれ複数本ずつ並べて受容する複数の凹溝が第１カバーに形成され、複数の凹溝内にそれぞれ突入して係合する複数の係合突起部が第２カバーに形成されており、凹溝内にそれぞれ複数本の同軸ケーブル接地接続部を並べて受容させた状態で係合突起部を凹溝内に突入係合させて凹溝内に複数の同軸ケーブル接地接続部を保持するように構成している。
【００１０】
なお、第１カバーを保持部材と結合して設け、第２カバーを保持部材に相対滑動可能に取り付け、この第１カバーの複数の凹溝内にそれぞれ複数本の同軸ケーブル接地接続部を並べて受容させた状態で、第２カバーを保持部材に対して滑動させて複数の係合突起部を複数の凹溝のそれぞれに突入係合させるように構成することが好ましい。
【００１１】
なお、凹溝の底部は、凹溝に受容される複数本の同軸ケーブル接地接続部を並べた状態での外形下部に合わせた波形状に形成することが好ましい。
【００１２】
また、凹溝の内部の幅は、凹溝に受容される複数本の同軸ケーブル接地接続部を並べた状態での配設ピッチ方向の長さにほぼ等しく形成され、凹溝の入口部の幅は、内部の幅よりも狭く形成されており、凹溝内部に突入係合した係合突起部が入口部より幅が広くて入口部を通って外方に出ないように構成することが好ましい。
【発明の効果】
【００１３】
本発明に係るコネクタによれば、第２絶縁被覆が剥がされてシールド線が露出した状態の同軸ケーブル接地接続部の複数を第１カバーに形成された凹溝内に受容させ、第２カバーに形成された係合突起部をこの凹溝内に突入係合させることにより、凹溝内にシールド線が保持されて第１あるいは第２カバーと接続させることができ、１つの凹溝内に複数の接地接続部を受容可能としたことで凹溝の両側縁に突出形成される櫛歯状の端子受容部の本数を削減することができる。従って、フラットケーブルを形成する複数の同軸ケーブルの各接地接続部を別個の凹溝内にそれぞれ受容保持するように構成される従来のコネクタと比べて、コネクタの外形サイズをピッチ方向に狭小化できるとともに、コネクタを軽量化できる。なお、端子受容部のピッチ方向サイズを従来のものから変更することなく製造することができることから、同軸ケーブルと凹溝とを嵌脱する際に生じる荷重負荷に抗する強度を確保したままでコネクタの外形サイズの狭小化を図ることができる。
【００１４】
また、第１カバーを保持部材と結合して設け、第２カバーを保持部材に相対滑動可能に取り付けるように構成することにより、第２カバーを滑動させるという一工程の作業を行うだけで複数の同軸ケーブルを同時に固定することができ、同軸ケーブルをコネクタ内に接続するために必要な加工工程を大幅に削減することができる。さらに、この第２カバーの滑動に伴い、係合突起部と接地接続部の表面とが相対的に摺動するように構成されているため、この摺動面にワイピング効果を発揮させることができ、ゴミや埃等の異物に対して接触信頼性を向上させることができる。
【００１５】
また、凹溝の底部は、円筒状の接地接続部を並べた状態における外形下部と整合するように、下方に窪みを有する半円弧が連なった波状に形成している。このため、凹溝内に受容される複数本の接地接続部のそれぞれが下方に窪む半円弧部に係合することにより、底部が平坦に形成される場合と比べ、接地接続部の位置決めがより堅固なものとなって凹溝内に整列密着させた状態で固定することができるとともに、接地接続部の接地面積を増やすことができる。従って、凹溝内に受容される各接地接続部の静電遮蔽効果が有効に発揮され、静電ノイズによる害を抑えることができる。
【００１６】
また、凹溝の内部の幅を受容される複数本の接地接続部を並べた状態におけるピッチ方向長さにほぼ等しく形成し、凹溝の入口部をこの内部の幅よりも狭くなるように形成し、係合突起部を入口部より幅が広くなるように形成している。これにより、凹溝内に突入した係合突起部が入口部を通って外方に出ることがなく、同軸ケーブルを凹溝内に堅固に固定保持することができる。また、係合突起部が凹溝に係合して第１及び第２カバーが強固に結合し、この部分においてカバーが外方に膨らんで変形することを防止できる。
【発明を実施するための最良の形態】
【００１７】
以下、図面を参照して本発明の好ましい実施形態について説明する。本発明に係る同軸コネクタを説明する前に、このコネクタに接続されるフラットケーブルの構造について、図２，図３を参照して説明する。フラットケーブルＦＣは、図２（Ａ）に示すように、複数本の極細同軸ケーブル２０をホールディングテープ２７により同一平面上に平行に密着して並べて接着保持して構成される。なお、ホールディングテープ２７は、複数の同軸ケーブル２０を両側から挟持しても良いし、片側にのみ設けてもよい。
【００１８】
各同軸ケーブル２０の構造を図２（Ｂ）に示しており、複数本（ここでは７本）の極細電線を寄り合わせて作られた芯線２１の周囲に絶縁材料からなる内側絶縁被覆（第１絶縁被覆）２２を設け、この内側絶縁被覆２２の外周に複数の極細電線を横巻きに円筒状に設けてなるシールド線２３を設け、このシールド線２３の外周に絶縁材料からなる外側絶縁被覆（第２絶縁被覆）２４を設けて同軸ケーブル２０が構成されている。この同軸ケーブル２０は非常に細い径に作られており、例えば、芯線２１の外径が約0.1mm、全体の外径（外側絶縁被覆２４の外径）が約0.3mm程度に作られている。
【００１９】
本発明に係るコネクタにこのような構成のフラットケーブルＦＣの端部をそのまま接続できるようにするために、フラットケーブルＦＣの端部を加工成形する工程を以下に説明する。まず、図２（Ａ）に示すように、フラットケーブルＦＣの端部においてホールディングテープ２７を剥がして同軸ケーブル２０の端部を平行に密着した状態のまま露出させる。そして、これら同軸ケーブル２０の端面から第１の所定距離ａの位置においてYAGレーザを照射して外側絶縁被覆２４およびシールド線２３のみを切断する加工を行う。
【００２０】
そして、このように切断された位置より外端側の部分にホールディングテープを貼り付ける等して、同軸ケーブル２０における切断位置より外端側を一緒に外方に引き出すと、外側絶縁被覆２４およびシールド線２３のみが切断位置から離れて、除去できる。このようにして切断位置から外端側の外側絶縁被覆２４およびシールド線２３を除去した状態を図３（Ａ）に示しており、この図から分かるように、先端から切断位置までの間においては内側絶縁被覆２２が露出する。なお、このように内側絶縁被覆２２が露出する部分を圧接部２２ａと称する。
【００２１】
次に、上記切断位置（すなわち、圧接部２２ａの内端位置）から第２の所定距離ｂまでの範囲において、CO2レーザを照射して外側絶縁被覆２４を溶融除去する。この結果、図３（Ｂ）に示すように、先端側から第１の所定距離ａだけ内側絶縁被覆２２が露出して圧接部２２ａが形成され、その内端側から第２の所定距離ｂの範囲内においてシールド線２３が露出した状態となる。なお、このようにシールド線２３が露出した部分を接地接続部２３ａと称する。ここで、接地接続部２３ａは、外側絶縁被覆２４を除去したことにより、図３（Ｂ）に示すように、外側絶縁被覆２４の厚さの２倍に等しい所定間隔ｃをもって等間隔に整列される。
【００２２】
このように端部が加工された状態のフラットケーブルＦＣの端部に、本発明に係る同軸ケーブル用コネクタ（以下、プラグコネクタＰＣあるいはコネクタＰＣとも称する）が取り付けられるのであるが、このプラグコネクタＰＣの構成およびプラグコネクタＰＣに上記フラットケーブルＦＣを接続する工程について、図１および図４〜図６を参照して説明する。
【００２３】
まず、上記構成のフラットケーブルＦＣの端部に接続されるプラグコネクタＰＣの構造について説明する。プラグコネクタＰＣは、図１に分解図を示すように圧接カバー１とコネクタ本体５とから構成されており、図４に示すように圧接カバー１に上記フラットケーブルＦＣの端部が取り付けられ、この圧接カバー１をコネクタ本体５に向かって矢印Ａの方向に押圧し、図５に示すように圧設カバー１をコネクタ本体５と結合させ、さらに、図６に示すようにシールドカバー３を矢印Ｂ方向に滑動させてフラットケーブルＦＣと繋がったプラグコネクタＰＣが製造される。なお、図１は、図４〜図６に示すプラグコネクタＰＣの組付工程およびフラットケーブルＦＣの接続工程に準じたものではなく、便宜上フラットケーブルＦＣの端部を後述する凹溝７ｄ（図７参照）内に受容させた状態での分解図を示している。
【００２４】
プラグコネクタＰＣを構成する圧接カバー１は、図１，図４に示すように、絶縁材料製のケーブル保持部材（保持部材）２と、ケーブル保持部材２の外面を覆って取り付けられた金属材料製のシールドカバー（第２カバー）３とから構成される。
【００２５】
ケーブル保持部材２には、それぞれ上記フラットケーブルＦＣの同軸ケーブル２０の配列ピッチと同一のピッチで並んだ、Ｕ字状に形成された複数のケーブル保持溝２ａ，２ｂが前後方向に延びるとともに左右方向に整列して形成されている。ケーブル保持部材２には、さらに、圧接端子受容溝２ｃが左右方向に延びて形成されるとともに、各ケーブル保持溝２ａ，２ｂと前後に並んで位置する複数のグランド端子受容孔２ｄが図示のように形成されている。
【００２６】
シールドカバー３は、ケーブル保持部材２の上面を覆うようにして取り付けられており、後部にＵ字状に折り返された複数の係合突起部３ａが、同軸ケーブル２０を密着させて２本ずつ並べた状態での配列ピッチに相当するピッチで左右方向に整列して設けられている。シールドカバー３の左右端部には直角に折れ曲がった第１係止アーム３ｂと、第２係止アーム３ｃとが図示のように形成されており、第２係止アーム３ｃがケーブル保持部材２と係合してシールドカバー３がケーブル保持部材２に取り付けられている。このとき、第２係止アーム３ｃはケーブル保持部材２に対して前後に滑動自在に係止されており、シールドカバー３はケーブル保持部材２に対して前後相対移動が可能となっている。
【００２７】
一方、コネクタ本体５は、絶縁材料製のコンタクト保持部材（保持部材）６と、このコンタクト保持部材６の下面を覆って一体にインサートモールドされて取り付けられた金属板からなるグランド板（第１カバー）７と、同様にインサートモールドされてコンタクト保持部材６により保持された複数のコンタクト８とから構成される。
【００２８】
コンタクト８はフラットケーブルＦＣの同軸ケーブル２０の配列ピッチと同一のピッチで左右方向に並んで配設されており、その後端が上方に直角に曲げられて圧接端子部８ａが形成されている。圧接端子部８ａには上方に開口し、同軸ケーブル２０の芯線２１の径より若干小さな幅の芯線受容溝８ｂが形成されている。
【００２９】
グランド板７はコンタクト保持部材６の下面を覆うが、その後端は上方に直角に曲げられるとともに複数のグランド端子受容部７ａが上記係合突起部３ａの配列ピッチと同一のピッチで左右方向に並んで櫛歯状に突出形成されている。これらグランド端子受容部７ａの形状を図７に示しており、それぞれ左右一対の受容アーム７ｂ，７ｂを有し、受容アーム７ｂ，７ｂの間に上方に開口した凹溝７ｄが形成されている。また、各受容アーム７ｂの上端はエラ状に広がった入口部７ｃが形成されている。
【００３０】
この凹溝７ｄは２本の接地接続部２３ａを受容可能に形成されており、凹溝７ｄの底部は円筒状の接地接続部２３ａの外形下部に合わせて、下方に窪んだ半円弧が２つ連なった波形状に形成されている。このようにして底部が形成される凹溝７ｄの内部幅は、シールド線２３を露出させた状態の同軸ケーブル２０を２本並べたときのピッチ方向の幅とほぼ等しく形成されており、入口部７ｃの間隔が凹溝７ｄの内部幅より幅狭にして形成されている。
【００３１】
ここで、プラグコネクタＰＣにフラットケーブルＦＣの端部を繋ぐには、上記構成の圧接カバー１とコネクタ本体５とを分離した状態で、図４に示すように、まずフラットケーブルＦＣの各同軸ケーブル２０における圧接部２２ａを上記ケーブル保持溝２ａ，２ｂ内に受容させて、フラットケーブルＦＣの先端部が圧接カバー１に取り付けられる。
【００３２】
そして、この状態から圧接カバー１をコネクタ本体５に向かって矢印Ａの方向に押圧する。これにより、図５に示すように圧接端子部８ａが圧接部２２ａの内側絶縁被覆２２を切り裂きながら圧接部２２ａ内に食い込み、芯線２１が芯線受容溝８ｂ内に挿入されて芯線２１が対応するコンタクト８と電気接続される。このとき同時に、同軸ケーブル２０の接地接続部２３ａがグランド端子受容部７ａの受容アーム７ｂ，７ｂを外方に押し広げながら入口部７ｃの間を通って凹溝７ｄ内に押しこまれて受容保持される。
【００３３】
次に、図６において矢印Ｂで示すようにシールドカバー３を押してケーブル保持部材２に対して相対移動させる。その結果、図７に示すように係合突起部３ａが接地接続部２３ａの表面上を摺動しながら凹溝７ｄ内に突入し、２本の接地接続部２３ａを凹溝７ｄ内に挟持して保持し、接地接続部２３ａがシールドカバー３およびグランド板７に電気的に接続される。
【００３４】
上記のようにしてフラットケーブルＦＣの接続が行われて構成される本発明に係る同軸ケーブル用コネクタは、１つの凹溝７ｄ内に２本の接地接続部２３ａが密着して受容されるように構成される。このため、凹溝７ｄの両側縁部に突出形成される櫛歯状のグランド端子受容部７ａの本数を約半数に削減することができ、コネクタの外形サイズをピッチ方向に狭小化できるとともに、コネクタを軽量化できる。なお、本発明に係る同軸ケーブル用コネクタは、グランド端子受容部７ａのピッチ方向サイズを従来から変更することなく製造できることから、接地接続部２３ａと凹溝とを嵌脱する際に生じる荷重負荷に抗する強度を確保したままでコネクタの外形サイズの狭小化を図ることができる。
【００３５】
また、グランド板７をコンタクト保持部材６と結合して設け、シールドカバー３をケーブル保持部材２に相対滑動可能に取り付けるように構成することにより、シールドカバー３を滑動させるという一工程の作業を行うだけで複数の同軸ケーブル２０を同時に固定することができ、同軸ケーブル２０をコネクタＰＣ内に接続するために必要な加工工程を大幅に削減することができる。さらに、このシールドカバー３の滑動に伴って係合突起部３ａの下面と接地接続部２３ａの表面とが相対的に摺動するように構成されているため、この摺動面にワイピング効果を発揮することができ、ゴミや埃等の異物に対して接触信頼性を向上させることができる。
【００３６】
また、図７に示すように、凹溝７ｄの底部は、凹溝７ｄ内に受容する２本の接地接続部２３ａを並べた状態における外形下部と整合する波状に形成されている。このため、接地接続部２３ａがこの波状底部に係合することにより、接地接続部２３ａの位置決めがより堅固なものとなって凹溝７ｄ内に整列密着させた状態で固定することができるとともに、接地接続部２３ａの接地面積を増やすことができる。これにより、各シールド線２３の静電遮蔽効果を充分に発揮させることができ、静電ノイズによる害を抑えることができる。
【００３７】
また、凹溝７ｄの内部の幅を、受容される複数本の接地接続部２３ａを並べた状態でのピッチ方向長さにほぼ等しく形成し、凹溝７ｄの入口部をこの内部の幅よりも狭くなるように形成し、係合突起部３ａを入口部より幅が広くなるように形成している。これにより、凹溝７ｄ内に突入した係合突起部３ａが入口部を通って外方に出ることがなく、同軸ケーブル２０を凹溝７ｄ内で堅固に固定保持することができる。また、以上のようにして係合突起部３ａがグランド端子受容部７ａと係合されるため、この部分においてシールドカバー３とグランド板７とが堅固に結合するとともに、シールドカバー３およびグランド板７が外方に膨らんで変形することを防止できる。
【００３８】
なお、上記実施例においては、凹溝７ｄ内に２本の接地接続部２３ａが受容されるように構成しているが、３本以上の接地接続部を受容するように構成してもよい。このようにすることにより、必要とする凹溝の数が削減されることから凹溝を形成するグランド端子受容部７ａの本数を削減することができ、コネクタの外形サイズをより狭小化することができる。
【図面の簡単な説明】
【００３９】
【図１】本発明に係る同軸ケーブル用コネクタの圧接カバーとコネクタ本体を分解した状態を示す斜視図である。
【図２】上記同軸ケーブル用コネクタが取り付けられるフラットケーブルの平面図およびこのフラットケーブルを構成する同軸ケーブルの構造を示す斜視図である。
【図３】上記同軸ケーブル用コネクタに取り付けるための加工途中段階、および加工が施された状態における上記フラットケーブルの端部構造を示す平面図である。
【図４】上記フラットケーブルの端部を本発明に係る同軸ケーブル用コネクタに接続するときの途中段階における状態を示す断面図である。
【図５】上記フラットケーブルの端部を本発明に係る同軸ケーブル用コネクタに接続するときの途中段階における状態を示す断面図である。
【図６】上記フラットケーブルの端部を本発明に係る同軸ケーブル用コネクタに接続した状態を示す断面図である。
【図７】図６に示す矢印VII−VIIに沿って示す断面図である。
【符号の説明】
【００４０】
ＦＣ  フラットケーブル
ＰＣ  プラグコネクタ
１  圧接カバー
２  ケーブル保持部材
（２ａ，２ｂ  ケーブル保持溝、２ｃ  圧接端子受容溝、２ｄ  グランド端子受容孔）
３  シールドカバー
（３ａ  係合突起部、３ｂ，３ｃ  係止アーム）
５  コネクタ本体
６  コンタクト保持部材
７  グランド板
（７ａ  グランド端子受容部、７ｂ  受容アーム、７ｃ  入口部、７ｄ  凹溝）
８  コンタクト
（８ａ  圧接端子部、８ｂ  芯線受容溝）
２０  同軸ケーブル
２１  芯線
２２  内側絶縁被覆
（２２ａ  圧接部）
２３  シールド線
（２３ａ  接地接続部）
２４  外側絶縁被覆
２７  ホールディングテープ
【図１】
2005222749.tif 000003
【図２】
2005222749.tif 000004
【図３】
2005222749.tif 000005
【図４】
2005222749.tif 000006
【図５】
2005222749.tif 000007
【図６】
2005222749.tif 000008
【図７】
2005222749.tif 000009